(57)【要約】【課題】ＬＢＴ（Ｌｉｓｔｅｎ  Ｂｅｆｏｒｅ  Ｔａｌｋ）を適用したハンドオーバ処理を実現するための技術を提供することである。【解決手段】本発明の一態様は、ハンドオーバ処理におけるソース基地局であって、ＬＢＴ（Ｌｉｓｔｅｎ  Ｂｅｆｏｒｅ  Ｔａｌｋ）を適用したユーザ装置との無線通信を制御する通信制御部と、ターゲット基地局からハンドオーバ許可を受信する前に前記ターゲット基地局に接続するための情報を含むモビリティ信号を前記ユーザ装置に送信することによって、前記ユーザ装置に前記ターゲット基地局への接続処理を起動させるハンドオーバ処理部とを有するソース基地局に関する。【選択図】図９
2016171513.tif 000002
【特許請求の範囲】
【請求項１】
ハンドオーバ処理におけるソース基地局であって、
ＬＢＴ（Ｌｉｓｔｅｎ  Ｂｅｆｏｒｅ  Ｔａｌｋ）を適用したユーザ装置との無線通信を制御する通信制御部と、
ターゲット基地局からハンドオーバ許可を受信する前に前記ターゲット基地局に接続するための情報を含むモビリティ信号を前記ユーザ装置に送信することによって、前記ユーザ装置に前記ターゲット基地局への接続処理を起動させるハンドオーバ処理部と、
を有するソース基地局。
【請求項２】
前記モビリティ信号は、前記ターゲット基地局に関する識別情報、前記ターゲット基地局に接続するための無線情報及びセキュリティ情報のいずれかを少なくとも一つ含む、請求項１記載のソース基地局。
【請求項３】
前記ターゲット基地局に関する識別情報、前記ターゲット基地局に接続するための無線情報及びセキュリティ情報の１以上は、基地局間で共有されるか、又は同一である、請求項１又は２記載のソース基地局。
【請求項４】
前記ハンドオーバ処理部は、複数のユーザ装置のためのモビリティ信号を多重した多重化モビリティ信号を前記複数のユーザ装置に送信する、請求項１乃至３何れか一項記載のソース基地局。
【請求項５】
ソース基地局からターゲット基地局へのハンドオーバ処理を実行するユーザ装置であって、
ＬＢＴ（Ｌｉｓｔｅｎ  Ｂｅｆｏｒｅ  Ｔａｌｋ）を適用して前記ソース基地局及び前記ターゲット基地局との間で無線信号を送受信する送受信部と、
前記ソース基地局から前記ターゲット基地局に接続するための情報を含むモビリティ信号を受信すると、前記ソース基地局からハンドオーバ命令を受信することなく前記ターゲット基地局に接続要求を送信することによって、前記ターゲット基地局との接続処理を起動するハンドオーバ処理部と、
を有するユーザ装置。
【請求項６】
前記接続処理は、コンテンションフリーランダムアクセス手順又はコンテンションベースランダムアクセス手順に従う、請求項５記載のユーザ装置。
【請求項７】
前記送受信部は、前記ターゲット基地局から接続設定情報を受信すると、前記受信した接続設定情報に基づき再設定処理を実行し、サスペンドされていたベアラの送受信を再開する、請求項５又は６記載のユーザ装置。
【請求項８】
ハンドオーバ処理におけるターゲット基地局であって、
ユーザ装置との無線通信を制御する通信制御部と、
ソース基地局からハンドオーバ命令を受信することなく当該ターゲット基地局に接続するための情報を含むモビリティ信号を受信したことに応答して当該ターゲット基地局との接続処理を起動した前記ユーザ装置との接続処理が完了すると、モビリティ完了通知と共に当該ターゲット基地局の接続設定情報を前記ユーザ装置に送信するハンドオーバ処理部と、
を有するターゲット基地局。
【請求項９】
前記ハンドオーバ処理部は、前記接続設定情報の送信によって前記モビリティ完了通知を送信する、請求項８記載のターゲット基地局。
【請求項１０】
前記ユーザ装置が当該ターゲット基地局に収容できない場合、前記ハンドオーバ処理部は、他の基地局に接続するための情報を含むモビリティ信号を前記ユーザ装置に送信する、請求項８又は９記載のターゲット基地局。
【発明の詳細な説明】
【技術分野】
【０００１】
本発明は、無線通信システムに関する。
【背景技術】
【０００２】
ＬＴＥ（Ｌｏｎｇ  Ｔｅｒｍ  Ｅｖｏｌｕｔｉｏｎ）システムでは、Ｃｏｎｎｅｃｔｅｄ状態のユーザ装置（Ｕｓｅｒ  Ｅｑｕｉｐｍｅｎｔ：ＵＥ）を最適なセルへ遷移させ、ロスレス通信を実現するためにハンドオーバ制御が常時実施されている。
【０００３】
図１は、ＬＴＥシステムにおけるハンドオーバ処理を示すシーケンス図である。典型的なハンドオーバ処理では、図１に示されるように、ユーザ装置は、隣接セルの通信状態を報告するためのメジャメントレポート（Ｍｅａｓｕｒｅｍｅｎｔ  ｒｅｐｏｒｔ）を接続中のソース基地局（Ｓｏｕｒｃｅ  ｅｖｏｌｖｅｄ  ＮｏｄｅＢ：Ｓ−ｅＮＢ）に送信する。ソース基地局は、受信したメジャメントレポートに基づき、サービングセルより通信状態の良好なセルがあるなどのハンドオーバイベントが発生しているか判断し、ハンドオーバイベントが発生していると判断すると、ハンドオーバリクエスト（ＨＯ  ｒｅｑｕｅｓｔ）をターゲット基地局（Ｔａｒｇｅｔ  ｅｖｏｌｖｅｄ  ＮｏｄｅＢ：Ｔ−ｅＮＢ）に送信する。当該ハンドオーバリクエストを受信すると、ターゲット基地局は、ハンドオーバ許可を示すハンドオーバリクエストアクノリッジメント（ＨＯ  ｒｅｑｕｅｓｔ  ａｃｋ）をソース基地局に返す。当該ハンドオーバリクエストアクノリッジメントを受信すると、ソース基地局は、ハンドオーバ命令（ＨＯ  ｃｏｍｍａｎｄ）をユーザ装置に送信する。ここで、ハンドオーバ命令はターゲットセルの設定情報（ｒｅｃｏｎｆｉｇｕｒａｔｉｏｎ）を含み、当該設定情報は、ターゲットセルを特定するためのＰＣＩ（Ｐｈｙｓｉｃａｌ  Ｃｅｌｌ  ＩＤ）などのユーザ装置がターゲットセルに接続するためのモビリティ情報（ＭｏｂｉｌｉｔｙＣｏｎｔｒｏｌＩｎｆｏ）と共に、ターゲットセルのベアラ情報やＰＨＹ設定情報などのターゲットセルに関する情報を含む。当該ハンドオーバ命令を受信すると、ユーザ装置は、ターゲット基地局とのランダムアクセス手順を実行する。ランダムアクセス手順が成功すると、ユーザ装置は、ターゲット基地局へのハンドオーバ処理を完了し、ターゲット基地局とデータを疎通する。
【０００４】
現状のＬＴＥシステムでは、通信事業者に割り当てられたライセンスバンドを用いて無線通信が行われている。スマートフォンやタブレットなどの高機能化されたユーザ装置の普及はユーザトラヒックを急激に増加させている。この増加するユーザトラヒックを吸収するため、更なる周波数バンドを追加する必要があるが、ライセンスバンドの帯域には限りがある。このため、ライセンスバンド以外に利用可能なアンライセンスバンドを利用して、ＬＴＥシステムの周波数帯域を拡張することが検討されている。このようなアンライセンスバンドの一例として、ＷｉＦｉ（登録商標）等に用いられるバンドがあげられる。
【０００５】
アンライセンスバンドにおいては、当該周波数帯域で通信している他のユーザ装置や基地局などの他のエンティティが検出された場合、送信機（送信側のユーザ装置又は基地局など）は、アンライセンスバンドにおいて通信することが禁止されている。このため、送信機は、送信タイミングよりも所定期間前のタイミングでＬｉｓｔｅｎ  Ｂｅｆｏｒｅ  Ｔａｌｋ（ＬＢＴ）を実行する。ＬＢＴでは、送信機は、送信タイミングよりも所定期間前のタイミングで対象となる周波数帯域全体をサーチし、他の送信機（ｅＮＢ、ＬＡＡ（Ｌｉｃｅｎｓｅｄ  Ａｓｓｉｓｔｅｄ  Ａｃｃｅｓｓ）−ＵＥ、ＷｉＦｉ装置など）が当該周波数帯域において通信しているか確認し、通信していないことが確認された場合に限って、当該周波数帯域において送信を行う。他方、一部の周波数帯域でも他の送信機が使用中であれば、すなわち、他の送信機からの受信電力が閾値を超過していることが検出されると、送信機は自らの送信を中止する（ＬＢＴ：ＮＧ）。アンライセンスバンドだけでなくライセンスバンドにおいても、基地局とユーザ装置とが送信を行う際にはＬＢＴを行って送信を実行することが想定される。
【０００６】
ＬＴＥ規格Ｒｅｌ−１３では、図２の左側に示されるように、ライセンスバンドは、キャリアアグリゲーションにおけるプライマリセル（ＰＣｅｌｌ）として利用され、アンライセンスバンドは、当該ライセンスバンドに付随するセカンダリセル（ＳＣｅｌｌ）として利用されることが想定される。しかしながら、図２の右側に示されるように、アンライセンスバンドがプライマリセルやプライマリセルの機能を備えたセカンダリセル（ＰＳＣｅｌｌ）としても利用されることが今後想定される。この場合、ライセンスバンドとアンライセンスバンドとの間のハンドオーバ処理やアンライセンスバンド間のハンドオーバ処理が行われることが想定される。
【先行技術文献】
【非特許文献】
【０００７】
【非特許文献１】３ＧＰＰ  ＴＳ３６．３００  Ｖ１２．４．０（２０１４−１２）
【非特許文献２】ＲＰ−１３１７０１
【発明の概要】
【発明が解決しようとする課題】
【０００８】
上述したように、アンライセンスバンドでは、送信機は送信の実行前に他の送信機が当該アンライセンスバンドにおいて送信を行っていないか確認するためＬＢＴを実行し、周囲の送信機による送信がない場合に送信を実行する。この結果、アンライセンスバンドにおいて送信可能な期間が制限されうる。
【０００９】
このため、上述した従来のハンドオーバ処理によると、ＬＢＴによるメッセージ送信機会の減少によって、正常にハンドオーバが実行できない可能性がある。例えば、図３に示されるように、アンライセンスバンド間のハンドオーバ処理において、ソース基地局がハンドオーバ命令を送信する際にＬＢＴが頻繁にＮＧになると、ターゲットセルに移動しているユーザ装置は、ソース基地局からハンドオーバ命令を受信することができなくなる。このため、ユーザ装置は、ハンドオーバ処理を実行することなくターゲットセルのエリアに移動してしまい、接続が切断されてしまう可能性がある。
【００１０】
上述した問題点を鑑み、本発明の課題は、ＬＢＴを適用したハンドオーバ処理を実現するための技術を提供することである。
【課題を解決するための手段】
【００１１】
上記課題を解決するため、本発明の一態様は、ハンドオーバ処理におけるソース基地局であって、ＬＢＴ（Ｌｉｓｔｅｎ  Ｂｅｆｏｒｅ  Ｔａｌｋ）を適用したユーザ装置との無線通信を制御する通信制御部と、ターゲット基地局からハンドオーバ許可を受信する前に前記ターゲット基地局に接続するための情報を含むモビリティ信号を前記ユーザ装置に送信することによって、前記ユーザ装置に前記ターゲット基地局への接続処理を起動させるハンドオーバ処理部とを有するソース基地局に関する。
【００１２】
本発明の他の態様は、ソース基地局からターゲット基地局へのハンドオーバ処理を実行するユーザ装置であって、ＬＢＴ（Ｌｉｓｔｅｎ  Ｂｅｆｏｒｅ  Ｔａｌｋ）を適用して前記ソース基地局及び前記ターゲット基地局との間で無線信号を送受信する送受信部と、前記ソース基地局から前記ターゲット基地局に接続するための情報を含むモビリティ信号を受信すると、前記ソース基地局からハンドオーバ命令を受信することなく前記ターゲット基地局に接続要求を送信することによって、前記ターゲット基地局との接続処理を起動するハンドオーバ処理部とを有するユーザ装置に関する。
【００１３】
本発明の更なる他の態様は、ハンドオーバ処理におけるターゲット基地局であって、ユーザ装置との無線通信を制御する通信制御部と、ソース基地局からハンドオーバ命令を受信することなく当該ターゲット基地局に接続するための情報を含むモビリティ信号を受信したことに応答して当該ターゲット基地局との接続処理を起動した前記ユーザ装置との接続処理が完了すると、モビリティ完了通知と共に当該ターゲット基地局の接続設定情報を前記ユーザ装置に送信するハンドオーバ処理部とを有するターゲット基地局に関する。
【発明の効果】
【００１４】
本発明によると、ＬＢＴを適用したハンドオーバ処理を実現することができる。
【図面の簡単な説明】
【００１５】
【図１】図１は、ＬＴＥシステムにおけるハンドオーバ処理を示すシーケンス図である。
【図２】図２は、キャリアアグリゲーションにおけるライセンスバンドとアンライセンスバンドとのバリエーションを示す概略図である。
【図３】図３は、アンライセンスバンドを利用したハンドオーバ処理の失敗例を示す概略図である。
【図４】図４は、本発明の一実施例による無線通信システムを示す概略図である。
【図５】図５は、本発明の一実施例によるソース基地局の構成を示すブロック図である。
【図６】図６は、本発明の一実施例によるモビリティ信号のためのＭＡＣ  ＰＤＵフォーマットを示す図である。
【図７】図７は、本発明の一実施例によるユーザ装置の構成を示すブロック図である。
【図８】図８は、本発明の一実施例によるターゲット基地局の構成を示すブロック図である。
【図９】図９は、本発明の一実施例によるアンライセンスバンドを利用したハンドオーバ処理を示す概略図である。
【発明を実施するための形態】
【００１６】
以下、図面に基づいて本発明の実施の形態を説明する。
【００１７】
後述される実施例では、ＬＢＴ（Ｌｉｓｔｅｎ  Ｂｅｆｏｒｅ  Ｔａｌｋ）を適用したハンドオーバ処理を実行する基地局及びユーザ装置が開示される。本発明を概略すると、ソース基地局のアンライセンスバンドのセルに接続しているユーザ装置をターゲット基地局にハンドオーバさせるとき、ソース基地局は、ターゲット基地局にハンドオーバリクエストを送信すると共に、当該ハンドオーバリクエストに対してターゲット基地局からハンドオーバ許可を受信する前に、ターゲット基地局に接続するための情報を含むモビリティ信号をユーザ装置に送信する。当該モビリティ信号を受信すると、ユーザ装置は、ソース基地局からハンドオーバ命令を受信する前に、当該モビリティ信号に基づきターゲット基地局への接続処理を起動する。これにより、ターゲット基地局からハンドオーバ許可を受信したソース基地局が、ユーザ装置にハンドオーバ命令を送信する際にＬＢＴの実行結果がＮＧになり、ハンドオーバ命令をユーザ装置に送信できなかったとしても、ユーザ装置は、ターゲット基地局に接続することが可能になる。ここでハンドオーバ命令は、上述したように、ターゲットセル（基地局）の設定情報が加味された（或いは、それを含む）命令と定義されていてもよい。
【００１８】
図４を参照して、本発明の一実施例による無線通信システムを説明する。図４は、本発明の一実施例による無線通信システムを示す概略図である。
【００１９】
図４に示されるように、無線通信システム１０は、基地局１００Ｓ，１００Ｔ（以降において、基地局１００と総称する）及びユーザ装置２００を有する。無線通信システム１０は、典型的には、ＬＴＥシステム又はＬＴＥ−Ａｄｖａｎｃｅｄシステムである。図示された実施例では、２つの基地局１００と１つのユーザ装置２００しか示されていないが、無線通信システム１０のサービスエリアをカバーするよう多数の基地局１００が配置され、多数のユーザ装置２００がこれらの基地局１００と無線接続する。
【００２０】
基地局１００は、ユーザ装置２００と無線接続することによって、コアネットワーク（図示せず）上に通信接続された上位局から受信したダウンリンク（ＤＬ）パケットをユーザ装置２００に送信すると共に、ユーザ装置２００から受信したアップリンク（ＵＬ）パケットを上位局に送信する。以下の実施例では、基地局１００は、ライセンスバンドだけでなくアンライセンスバンドを利用することが想定される。このため、アンライセンスバンドだけでなくライセンスバンドにおいても、基地局１００とユーザ装置２００とが送信を行う際にはＬＢＴを実行した後に送信を実行することが想定される。
【００２１】
基地局１００は、典型的には、ユーザ装置２００との間で無線信号を送受信するためのアンテナ、隣接する基地局１００と通信するための通信インタフェース（Ｘ２インタフェースなど）、コアネットワークと通信するための通信インタフェース（Ｓ１インタフェースなど）、ユーザ装置２００との送受信信号を処理するためのプロセッサや回路などのハードウェアリソースにより構成される。後述される基地局１００の各機能及び処理は、メモリ装置に格納されているデータやプログラムをプロセッサが処理又は実行することによって実現されてもよい。しかしながら、基地局１００は、上述したハードウェア構成に限定されず、他の何れか適切なハードウェア構成を有してもよい。
【００２２】
ユーザ装置２００は、基地局１００により提供されるセルを介しスケジューリングされた無線リソースを用いて基地局１００と無線通信を行う。移動中のロスレス通信を実現するために、ユーザ装置２００をより良好な通信状態のセルに遷移させるためのハンドオーバ制御が常時実施されている。典型的には、ユーザ装置２００は、図示されるように、スマートフォン、携帯電話、タブレット、モバイルルータ、ウェアラブル端末などの無線通信機能を備えた何れか適切な情報処理装置であってもよい。ユーザ装置２００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局１００との間で無線信号を送受信するための通信回路などから構成される。例えば、後述されるユーザ装置２００の各機能及び処理は、メモリ装置に格納されているデータやプログラムをＣＰＵが処理又は実行することによって実現されてもよい。しかしながら、ユーザ装置２００は、上述したハードウェア構成に限定されず、後述する処理の１以上を実現する回路などにより構成されてもよい。
【００２３】
次に、図５〜６を参照して、本発明の一実施例によるハンドオーバ処理におけるソース基地局を説明する。図５は、本発明の一実施例によるソース基地局の構成を示すブロック図である。
【００２４】
図５に示されるように、ソース基地局１００Ｓは、通信制御部１１０Ｓ及びハンドオーバ処理部１２０Ｓを有する。
【００２５】
通信制御部１１０Ｓは、ＬＢＴ（Ｌｉｓｔｅｎ  Ｂｅｆｏｒｅ  Ｔａｌｋ）を適用したユーザ装置２００との無線通信を制御する。具体的には、通信制御部１１０Ｓは、ユーザ装置２００との間で各種制御信号及びデータ信号を送受信する。ここで、通信制御部１１０Ｓは、ユーザ装置２００へのダウンリンク送信を実行する際、ダウンリンク送信タイミングよりも所定期間前のタイミングでＬＢＴを実行することによって、セルの周波数帯域全体をサーチし、他の送信機（ｅＮＢ、ＬＡＡ−ＵＥ、ＷｉＦｉ装置など）が当該周波数帯域において通信しているか確認する。通信していないことが確認された場合に限って、通信制御部１１０Ｓは、当該周波数帯域においてダウンリンク送信を行う。他方、一部の周波数帯域でも他の送信機が使用中であれば、すなわち、他の送信機からの受信電力が閾値を超過していることが検出されると、通信制御部１１０Ｓは、ダウンリンク送信を中止する（ＬＢＴ：ＮＧ）。
【００２６】
ハンドオーバ処理部１２０Ｓは、ターゲット基地局１００Ｔからハンドオーバ許可を受信する前にターゲット基地局１００Ｔに接続するための情報を含むモビリティ信号をユーザ装置２００に送信することによって、ユーザ装置２００にターゲット基地局１００Ｔへの接続処理を起動させる。具体的には、ハンドオーバ処理部１２０Ｓは、ユーザ装置２００から受信したメジャメントレポートに基づき通信品質がより良好なセルが検出されると、ターゲット基地局１００Ｔにユーザ装置２００をハンドオーバさせることが可能であるか確認する前に、当該セルを提供するターゲット基地局１００Ｔにユーザ装置２００をハンドオーバさせるためのモビリティ信号をユーザ装置２００に送信する。本実施例によるモビリティ信号は、ターゲットセルを特定する情報など、ユーザ装置２００がターゲット基地局１００Ｔに接続するためのモビリティ情報（ＭｏｂｉｌｉｔｙＣｏｎｔｒｏｌＩｎｆｏ）を通知するものであり、ハンドオーバ処理部１２０Ｓは、ハンドオーバ命令とは別にモビリティ信号をユーザ装置２００に通知する。当該モビリティ信号をハンドオーバ命令と独立に受信することによって、ユーザ装置２００は、ハンドオーバ命令を受信することなく、受信したモビリティ信号に基づきターゲット基地局１００Ｔへの接続処理（ランダムアクセス手順など）を起動することが可能になる。例えば、ハンドオーバ処理部１２０Ｓは、ユーザ装置２００にモビリティ信号を送信するのと同時にターゲット基地局１００Ｔにハンドオーバリクエストを送信してもよい。
【００２７】
一実施例では、モビリティ信号は、ターゲット基地局１００Ｔに関する識別情報、ターゲット基地局１００Ｔに接続するための無線情報及びセキュリティ情報の１以上を含むものであってもよい。ターゲット基地局１００Ｔに関する識別情報は、例えば、ターゲット基地局１００Ｔのハンドオーバ先のセルの識別子（ターゲットセルのＰＣＩなど）、ターゲット基地局１００Ｔの識別子（ＥＣＧＩ（Ｅ−ＵＴＲＡＮ  Ｃｅｌｌ  Ｇｌｏｂａｌ  ＩＤ）など）、通信事業者のＰＬＭＮ（Ｐｕｂｌｉｃ  Ｌａｎｄ  Ｍｏｂｉｌｅ  Ｎｅｔｗｏｒｋ）などであってもよい。また、ターゲット基地局１００Ｔに接続するための無線情報は、ランダムアクセスのリソースなどのターゲット基地局１００Ｔに物理的に接続するのに必要な情報であってもよい。あるいは、ターゲット基地局１００Ｔに接続するための無線情報は、再接続時に用いられるコンフィギュレーションなどの所定のデフォルトコンフィギュレーションであってもよい。
【００２８】
なお、ターゲット基地局１００Ｔに接続するための情報は、基地局１００の間で共有されてもよいし、あるいは、基地局１００の間で同一とされてもよい。すなわち、ターゲット基地局に関する識別情報、前記ターゲット基地局に接続するための無線情報及びセキュリティ情報の１以上は、基地局間で共有されるか、又は同一であってもよい。
【００２９】
一実施例では、ハンドオーバ処理部１２０Ｓは、複数のユーザ装置２００のためのモビリティ信号を多重した多重化モビリティ信号を複数のユーザ装置２００に送信してもよい。現状のハンドオーバ命令は、ユーザ装置２００に個別のベアラを用いて、各ユーザ装置２００に個別に送信されている。しかしながら、各ユーザ装置２００に個別にハンドオーバ命令が送信される場合、ハンドオーバ処理部１２０Ｓは、ＬＢＴがＯＫである期間内にこれら全てのユーザ装置２００にモビリティ信号を送信しなければならず、ハンドオーバ命令の対象となる全てのユーザ装置２００にモビリティ信号を送信できない可能性がある。このため、ＬＢＴがＯＫである期間内に可能な限り多くのモビリティ信号を送信できることが望まれる。このため、本実施例では、ハンドオーバ処理部１２０Ｓは、複数のユーザ装置２００のためのモビリティ信号を多重した多重化モビリティ信号を生成し、生成した多重化モビリティ信号をユーザ装置２００に送信する。各ユーザ装置２００は、受信した多重化モビリティ信号から自らのモビリティ信号を抽出し、抽出したモビリティ信号に基づきターゲット基地局１００Ｔへのハンドオーバ処理を起動する。
【００３０】
各ユーザ装置２００が自らのモビリティ信号を抽出することを可能にするため、例えば、通信制御部１１０Ｓは、各ユーザ装置２００に予め特別な識別子（Ｍｏｂｉｌｉｔｙ−Ｒａｄｉｏ  Ｎｅｔｗｏｒｋ  Ｔｅｍｐｏｒａｒｙ  Ｉｄｅｎｔｉｔｙ：Ｍｏｂｉｌｉｔｙ−ＲＮＴＩ）を割り当ててもよい。あるいは、各ユーザ装置２００のユーザ識別子は、ライセンスバンド用又はアンライセンスバンド用に割り当てられたものでもよく、例えば、Ｃ−ＲＮＴＩ（Ｃｅｌｌ−ＲＮＴＩ）であってもよい。
【００３１】
各ユーザ装置２００は、当該ユーザ識別子をＣｏｍｍｏｎ  Ｓｅａｒｃｈ  Ｓｐａｃｅで監視する。ハンドオーバ処理部１２０Ｓは、ハンドオーバ命令の対象となる各ユーザ装置２００のユーザ識別子と共に、当該ユーザ装置２００をターゲット基地局１００Ｔに接続させるための情報を含む各自のモビリティ信号を多重し、生成した多重化モビリティ信号を各ユーザ装置２００に送信する。例えば、図６に示されるように、ハンドオーバ処理部１２０Ｓは、多重化モビリティ信号のＭＡＣヘッダ内に各ユーザ装置２００のユーザ識別子を格納すると共に、ペイロード部分に各自のモビリティ信号を格納してもよい。なお、図示されるように、ＭＡＣヘッダの先頭には、当該信号がモビリティ信号であることを示す論理チャネルＩＤ（ＬＣＩＤ）を格納してもよい。また、図示されるように、各ユーザ装置２００のユーザ識別子の後に拡張ビットとしてＥ  ｆｉｅｌｄが設けられ、ハンドオーバ命令の対象となるユーザ装置２００のユーザ識別子が更に後続するか（Ｅ  ｆｉｅｌｄ＝０）、あるいは、ペイロード部分が後続するか（Ｅ  ｆｉｅｌｄ＝１）を示してもよい。
【００３２】
次に、図７を参照して、本発明の一実施例によるユーザ装置を説明する。図７は、本発明の一実施例によるユーザ装置の構成を示すブロック図である。
【００３３】
図７に示されるように、ユーザ装置２００は、送受信部２１０及びハンドオーバ処理部２２０を有する。
【００３４】
送受信部２１０は、ＬＢＴを適用してソース基地局１００Ｓ及びターゲット基地局１００Ｔとの間で無線信号を送受信する。具体的には、送受信部２１０は、基地局１００との間でアップリンク／ダウンリンク制御チャネルやアップリンク／ダウンリンクデータチャネルなどの各種無線チャネルを送受信する。ここで、送受信部２１０は、基地局１００へのアップリンク送信を実行する際、アップリンク送信タイミングよりも所定期間前のタイミングでＬＢＴを実行することによって、セルの周波数帯域全体をサーチし、他の送信機（ｅＮＢ、ＬＡＡ−ＵＥ、ＷｉＦｉ装置など）が当該周波数帯域において通信しているか確認する。通信していないことが確認された場合に限って、送受信部２１０は、当該周波数帯域においてアップリンク送信を行う。他方、一部の周波数帯域でも他の送信機が使用中であれば、すなわち、他の送信機からの受信電力が閾値を超過していることが検出されると、送受信部２１０は、アップリンク送信を中止する（ＬＢＴ：ＮＧ）。
【００３５】
ハンドオーバ処理部２２０は、ソース基地局１００Ｓからターゲット基地局１００Ｔに接続するための情報を含むモビリティ信号を受信すると、ソース基地局１００Ｓからハンドオーバ命令を受信することなくターゲット基地局１００Ｔに接続要求を送信することによって、ターゲット基地局１００Ｔとの接続処理を起動する。本実施例によるモビリティ信号は、ターゲットセルを特定する情報など、ユーザ装置２００がターゲット基地局１００Ｔに接続するためのモビリティ情報（ＭｏｂｉｌｉｔｙＣｏｎｔｒｏｌＩｎｆｏ）を通知するものであり、ソース基地局１００Ｓは、ハンドオーバ命令とは別にモビリティ信号を通知する。当該モビリティ信号をハンドオーバ命令と独立に受信することによって、ハンドオーバ処理部２２０は、ハンドオーバ命令を受信することなく、受信したモビリティ信号に基づきターゲット基地局１００Ｔへの接続処理（ランダムアクセス手順など）を起動することが可能になる。例えば、モビリティ信号は、ターゲット基地局１００Ｔに関する識別情報、ターゲット基地局１００Ｔに接続するための無線情報及びセキュリティ情報の１以上を含むものであってもよい。より詳細には、ターゲット基地局１００Ｔに関する識別情報は、ターゲット基地局１００Ｔのハンドオーバ先のセルの識別子（ターゲットセルのＰＣＩなど）、ターゲット基地局１００Ｔの識別子（ＥＣＧＩなど）、通信事業者のＰＬＭＮなどであってもよい。また、ターゲット基地局１００Ｔに接続するための無線情報は、ランダムアクセスのリソースなどのターゲット基地局１００Ｔに物理的に接続するのに必要な情報であってもよい。あるいは、ターゲット基地局１００Ｔに接続するための無線情報は、再接続時に用いられるコンフィギュレーションなどの所定のデフォルトコンフィギュレーションであってもよい。
【００３６】
一実施例では、当該接続処理は、コンテンションフリーランダムアクセス手順又はコンテンションベースランダムアクセス手順に従うものであってもよい。すなわち、コンテンションフリーランダムアクセス（ＲＡ）手順は、個別ＲＡプリアンブルをはじめとしたユーザ装置間でコーディネーションされたリソースを用いてターゲット基地局１００Ｔにアップリンク送信することによって開始され、コンテンションベースランダムアクセスＲＡ手順は、ＲＡプリアンブルを送信することなくメッセージ３をターゲット基地局１００Ｔに送信することによって開始される。なお、ターゲット基地局１００Ｔに対するランダムアクセスに用いるリソース情報は、ソース基地局１００Ｓから予め設定されてもよい。すなわち、ランダムアクセスに用いられるリソース位置は、ターゲット基地局１００Ｔの間で同じものが使用されてもよい。
【００３７】
一実施例では、送受信部２１０は、ターゲット基地局１００Ｔから接続設定情報（ＲＲＣ  ｃｏｎｎｅｃｔｉｏｎ  ｒｅｃｏｎｆｉｇｕｒａｔｉｏｎ）を受信すると、受信した接続設定情報に基づき再設定処理を実行し、サスペンドされていたベアラの送受信を再開してもよい。ソース基地局１００Ｓからモビリティ信号を受信した時点では、ハンドオーバ処理部２２０は、ターゲット基地局１００Ｔのベアラ関連のコンフィギュレーションをまだ受信していない。このため、ソース基地局１００Ｓからモビリティ信号を受信すると、送受信部２１０は、ＳＲＢ（Ｓｉｇｎａｌｉｎｇ  Ｒａｄｉｏ  Ｂｅａｒｅｒ）１を除く全てのベアラのスケジューリングを停止する。ターゲット基地局１００Ｔから接続設定情報を受信した時点で、送受信部２１０は、受信した接続設定情報に基づき再設定処理（Ｌ２  ｒｅ−ｅｓｔａｂｌｉｓｈｍｅｎｔ）を実行し、サスペンドされていたベアラの送受信を再開する。なお、Ｌ２  ｒｅ−ｅｓｔａｂｌｉｓｈｍｅｎｔは、ＲＲＣ  ｃｏｎｎｅｃｔｉｏｎ  ｒｅｃｏｎｆｉｇｕｒａｔｉｏｎ  ｍｅｓｓａｇｅ内で明示的に指示されてもよいし、モビリティ信号の受信後又はターゲット基地局１００Ｔとのランダムアクセス手順の完了後の最初のＲＲＣ  ｃｏｎｎｅｃｔｉｏｎ  ｒｅｃｏｎｆｉｇｕｒａｔｉｏｎのように暗示的に指示されてもよい。
【００３８】
また、メッセージ３（接続要求）のコンテンツは、従来のＲＲＣ  ｃｏｎｎｅｃｔｉｏｎ  ｒｅｑｕｅｓｔやＲＲＣ  ｃｏｎｎｅｃｔｉｏｎ  ｒｅ−ｅｓｔａｂｌｉｓｈｍｅｎｔ  ｒｅｑｕｅｓｔのように、ユーザ装置２００を識別可能なものであってもよい。この場合、通常のイニシャルアクセスや再接続手順と区別するため、従来と異なる論理チャネルＩＤ（ＬＣＩＤ）が利用されてもよい。例えば、ＬＴＥ規格におけるＭＡＣレイヤにより受信されたＭＡＣ  ＳＤＵ（Ｓｅｒｖｉｃｅ  Ｄａｔａ  Ｕｎｉｔ）の論理チャネルを特定するための識別子が利用されてもよい。
【００３９】
次に、図８を参照して、本発明の一実施例によるハンドオーバ処理におけるターゲット基地局を説明する。図８は、本発明の一実施例によるターゲット基地局の構成を示すブロック図である。
【００４０】
図８に示されるように、ターゲット基地局１００Ｔは、通信制御部１１０Ｔ及びハンドオーバ処理部１２０Ｔを有する。
【００４１】
通信制御部１１０Ｔは、ユーザ装置２００との無線通信を制御する。具体的には、通信制御部１１０Ｔは、ユーザ装置２００との間で各種制御信号及びデータ信号を送受信する。本実施例では、ターゲット基地局１００Ｔがアンライセンスバンドによってセルを提供することに限定されないが、アンライセンスバンドによるセルを提供する場合、通信制御部１１０Ｔは、ユーザ装置２００へのダウンリンク送信を実行する際にＬＢＴを実行する必要があり、また、ユーザ装置２００は、ターゲット基地局１００Ｔへのアップリンク送信する際にＬＢＴを実行する必要がある。
【００４２】
ハンドオーバ処理部１２０Ｔは、ソース基地局１００Ｓからハンドオーバ命令を受信することなくターゲット基地局１００Ｔに接続するためのモビリティ信号を受信したことに応答してターゲット基地局１００Ｔとの接続処理を起動したユーザ装置２００との接続処理が完了すると、モビリティ完了通知と共にターゲット基地局１００Ｔの接続設定情報をユーザ装置２００に送信する。具体的には、上述したように、ソース基地局１００Ｓは、ハンドオーバイベントの検出に応答して、ターゲット基地局１００Ｔにハンドオーバリクエストを送信すると共に、ユーザ装置２００にモビリティ信号を送信する。当該モビリティ信号を受信すると、ユーザ装置２００は、モビリティ信号に含まれるターゲット基地局１００Ｔに接続するための情報に基づきターゲット基地局１００Ｔとの接続処理（ランダムアクセス手順など）を起動する。当該接続処理の完了通知を受信すると、ハンドオーバ処理部１２０Ｔは、モビリティ完了通知と共に接続設定情報（ＲＲＣ  ｃｏｎｎｅｃｔｉｏｎ  ｒｅｃｏｎｆｉｇｕｒａｔｉｏｎ）をユーザ装置２００に通知する。
【００４３】
一実施例では、モビリティ完了通知は、ユーザ装置２００から受信した要求信号をそのまま格納してもよいし、ユーザ装置２００の識別子（Ｃ−ＲＮＴＩなど）を送信してもよいし、あるいは、当該ユーザ装置２００を識別するための何れかの信号であってもよい。また、同時にユーザ装置２００に対してターゲット基地局１００Ｔ又はそのセルで用いられる新たなユーザ識別子が通知されてもよい。
【００４４】
一実施例では、ハンドオーバ処理部１２０Ｔは、接続設定情報の送信によって前記モビリティ完了通知を送信したとしてもよい。すなわち、モビリティ完了通知を送信することなく接続設定情報を送信することによって、ハンドオーバ処理部１２０Ｔは、モビリティ完了を示してもよい。この場合、接続設定情報を受信すると、ユーザ装置２００は、モビリティ完了通知を受信することなくハンドオーバが完了したことを確認することが可能になる。これにより、専用のモビリティ完了通知を定義することが不要となる。
【００４５】
一実施例では、ユーザ装置２００がターゲット基地局１００Ｔに収容できない場合、ハンドオーバ処理部１２０Ｔは、他の基地局１００に接続するための情報を含むモビリティ信号をユーザ装置２００に送信してもよい。例えば、ターゲット基地局１００Ｔやそのセルが混雑しており、ターゲット基地局１００Ｔがユーザ装置２００を受け入れることが困難である場合、ハンドオーバ処理部１２０Ｔは、ユーザ装置２００に接続設定情報を送信する代わりに、他の基地局１００に接続するための情報を含むモビリティ信号を送信してもよい。当該モビリティ信号を受信すると、ユーザ装置２００は、受信したモビリティ信号に示される基地局２００への接続処理を起動する。
【００４６】
この場合、新たなターゲット基地局１００Ｔやそのセルは、デフォルトの基地局又はセルであってもよいし、ソース基地局１００Ｓやそのセルであってもよい。当該新たなターゲット基地局１００Ｔ又はセルの判定は、ソース基地局１００Ｓから受信したハンドオーバリクエストに格納されているメジャメントレポートに基づき行われてもよい。さらに、ハンドオーバ処理部１２０Ｔはソース基地局１００Ｓにハンドオーバキャンセルを通知すると共に、新たなターゲット基地局１００Ｔにハンドオーバリクエストを送信してもよい。なお、当該ハンドオーバキャンセルと共に、新たなターゲット基地局１００Ｔ又はそのセルの情報が通知されてもよい。
【００４７】
次に、図９を参照して、本発明の一実施例によるアンライセンスバンドを利用したハンドオーバ処理を説明する。図９は、本発明の一実施例によるアンライセンスバンドを利用したハンドオーバ処理を示す概略図である。図示された例では、ユーザ装置２００は、ソース基地局１００Ｓのアンライセンスバンドに接続しているとする。
【００４８】
ステップＳ１０１において、ユーザ装置２００は、隣接セルの通信状態の測定結果を示すメジャメントレポートをソース基地局１００Ｓに送信する。
【００４９】
ソース基地局１００Ｓは、受信したメジャメントレポートに基づきユーザ装置２００をハンドオーバさせるか判断し、ターゲット基地局１００Ｔにハンドオーバさせる場合、ステップＳ１０２において、ハンドオーバリクエストをターゲット基地局１００Ｔに送信する。
【００５０】
ステップＳ１０３において、ソース基地局１００Ｓは、ダウンリンク送信のためＬＢＴを実行し、ＬＢＴの実行結果がＯＫになると、ターゲット基地局１００Ｔに接続するのに必要な情報を含むモビリティ信号をユーザ装置２００に返す。本実施例によるモビリティ信号は、ターゲットセルを特定する情報など、ユーザ装置２００がターゲット基地局１００Ｔに接続するためのモビリティ情報（ＭｏｂｉｌｉｔｙＣｏｎｔｒｏｌＩｎｆｏ）を通知するものであり、ソース基地局１００Ｓは、ハンドオーバ命令とは別にモビリティ信号を通知する。当該モビリティ信号をハンドオーバ命令と独立に受信することによって、ユーザ装置２００は、ハンドオーバ命令を受信することなく、受信したモビリティ信号に基づきターゲット基地局１００Ｔへの接続処理（ランダムアクセス手順など）を起動することが可能になる。図示された例では、ハンドオーバリクエストの送信がモビリティ信号の送信前に実行されているが、本発明は、これに限定されるものでない。例えば、モビリティ信号の送信がハンドオーバリクエストの送信前に実行されてもよいし、あるいは、モビリティ信号とハンドオーバリクエストとが同時に送信されてもよい。
【００５１】
ステップＳ１０４において、ターゲット基地局１００Ｔは、ソース基地局１００Ｓにハンドオーバリクエストアクノリッジメントを送信する。
【００５２】
ステップＳ１０５において、ソース基地局１００Ｓは、ハンドオーバ命令を送信するためにＬＢＴを実行するが、図示された例では、ＬＢＴの実行結果としてＮＧが続き、ユーザ装置２００がソース基地局１００Ｓのセルの範囲内にある間にハンドオーバ命令をユーザ装置２００に送信することができない。
【００５３】
ステップＳ１０６において、ユーザ装置２００は、受信したモビリティ信号に基づきターゲット基地局１００Ｔに接続するためのランダムアクセス手順を実行する。当該ランダムアクセス手順は、コンテンションフリーランダムアクセス手順又はコンテンションベースランダムアクセス手順の何れかにより実行されてもよい。
【００５４】
ステップＳ１０７において、ランダムアクセス手順が完了すると、ターゲット基地局１００Ｔは、接続設定情報（ＲＲＣ  ｃｏｎｎｅｃｔｉｏｎ  ｒｅｃｏｎｆｉｇｕｒａｔｉｏｎ）をユーザ装置２００に送信する。
【００５５】
ステップＳ１０８において、ユーザ装置２００は、受信した接続設定情報に従ってターゲット基地局１００Ｔとの接続を確立し、完了通知（ＲＲＣ  ｃｏｎｎｅｃｔｉｏｎ  ｒｅｃｏｎｆｉｇｕｒａｔｉｏｎ  ｃｏｍｐｌｅｔｅ）をターゲット基地局１００Ｔに送信する。
【００５６】
尚、上記では、基地局間ハンドオーバを例にして説明を行ったが、同一基地局内におけるハンドオーバについても同様に適用することが可能である。
【００５７】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００５８】
１０  無線通信システム
１００Ｓ  ソース基地局
１００Ｔ  ターゲット基地局
２００  ユーザ装置
【図１】
2016171513.tif 000003
【図２】
2016171513.tif 000004
【図３】
2016171513.tif 000005
【図４】
2016171513.tif 000006
【図５】
2016171513.tif 000007
【図６】
2016171513.tif 000008
【図７】
2016171513.tif 000009
【図８】
2016171513.tif 000010
【図９】
2016171513.tif 000011